(57)【要約】【課題】液晶モニタの画面中の画像が外光の反射によって見難くなったときに、簡単に反射を回避することが可能な画面角度調整装を提供する。【解決手段】ホルダ４に液晶モニタ３を保持させ、液晶モニタ３の画面を露出させる開口５ａを有するカバー５を、カメラ本体１０の筐体１０ａの外面にホルダ４を介在させて装着した。液晶モニタ３に力を加えることによって液晶モニタ３の画面の向きを変えられるように、ホルダ４を弾性的に支持するコイルスプリング６をホルダ４と筐体１０ａの外面との間に配置した。【選択図】図１
2008028616.tif 000002
【特許請求の範囲】
【請求項１】
液晶モニタを保持するホルダと、
前記液晶モニタの画面を露出させる開口を有し、電子機器筐体の外面に前記ホルダを介在させて装着されるカバーと、
前記ホルダを支持するとともに、前記液晶モニタの画面の向きを変えるための弾性部材と
を備えていることを特徴とする画面角度調整装置。
【請求項２】
前記弾性部材の弾力に抗して前記液晶モニタを前記電子機器筐体側へ押すための押圧凸部が前記カバーに設けられた孔から外部へ突出していることを特徴とする請求項１記載の画面角度調整装置。
【請求項３】
前記液晶モニタの画面の向きを変えたときの状態を維持する維持手段を備えていることを特徴とする請求項１又は２記載の画面角度調整装置。
【請求項４】
前記弾性部材は、ばね又はゴムであることを特徴とする請求項１〜３のいずれか１項記載の画面角度調整装置。
【請求項５】
請求項１〜４のいずれか１項記載の画面角度調整装置を備えていることを特徴とするカメラ。
【発明の詳細な説明】
【技術分野】
【０００１】
この発明は液晶モニタの画面角度調整装置及びそれを備えたカメラに関する。
【背景技術】
【０００２】
従来、撮像部とカメラ本体部とがスイバル機構によって回転可能に連結されているデジタルカメラが知られている（下記特許文献１参照）。
【０００３】
撮像部は撮影レンズと光学ファインダとを有する。
【０００４】
カメラ本体部の背面には液晶モニタが設けられている。
【特許文献１】特開２００５−１３４６１４号公報
【発明の開示】
【発明が解決しようとする課題】
【０００５】
上述のデジタルカメラでは光学ファインダを覗く代わりに液晶モニタを見ながら撮影を行うことができる。
【０００６】
液晶モニタを見ながら撮影するとき、太陽光や電灯等の光が液晶モニタの画面で反射して眼に入り、液晶モニタの画面に映し出された被写体の画像が非常に見難くなったり、或は全く見えなくなったりすることがある。
【０００７】
このとき、撮像部に対してカメラ本体部を僅かに回転させて液晶モニタの画面角度を変えると、反射光が眼に入らなくなり、液晶モニタの画面に映し出された被写体の画像が見えるようになる。
【０００８】
しかし、カメラ本体部を回転させるには、一方の手で撮像部をしっかり保持し、他方の手でスイバル機構の摩擦力に打ち勝つようにカメラ本体部に回転力を加えなくてはならない。
【０００９】
このため、液晶モニタの画面で外光の反射が生じた場合、シャッターチャンスを逃したり、或いはフレーミングが崩れたりすることがあるという問題があった。
【００１０】
この発明はこのような事情に鑑みてなされたもので、その課題は液晶モニタの画面中の画像が外光の反射によって見難くなったときに、簡単に反射を回避することが可能な画面角度調整装置及びカメラを提供することである。
【課題を解決するための手段】
【００１１】
前述の課題を解決するため請求項１の発明の画面角度調整装置は、液晶モニタを保持するホルダと、前記液晶モニタの画面を露出させる開口を有し、電子機器筐体の外面に前記ホルダを介在させて装着されるカバーと、前記ホルダを支持するとともに、前記液晶モニタの画面の向きを変えるための弾性部材とを備えていることを特徴とする。
【００１２】
請求項２の発明は、請求項１記載の画面角度調整装置において、前記弾性部材の弾力に抗して前記液晶モニタを前記電子機器筐体側へ押すための押圧凸部が前記カバーに設けられた孔から外部へ突出していることを特徴とする。
【００１３】
請求項３の発明は、請求項１又は２記載の画面角度調整装置において、前記液晶モニタの画面の向きを変えたときの状態を維持する維持手段を備えていることを特徴とする。
【００１４】
請求項４の発明は、請求項１〜３のいずれか１項記載の画面角度調整装置において、前記弾性部材は、ばね又はゴムであることを特徴とする。
【００１５】
請求項５の発明のカメラは、請求項１〜４のいずれか１項記載の画面角度調整装置を備えていること特徴とする。
【発明の効果】
【００１６】
この発明によれば、液晶モニタの画面中の画像が外光の反射によって見難くなったときに、簡単に反射を回避することができる。
【発明を実施するための最良の形態】
【００１７】
以下、この発明の実施の形態を図面に基づいて説明する。
【００１８】
図１はこの発明の第１実施形態に係るカメラの分解斜視図である。
【００１９】
図１に示すように、このカメラはカメラ本体（電子機器）１０Ａと画面角度調整装置１と液晶モニタ３とを備える。
【００２０】
カメラ本体１０Ａの筐体（電子機器筐体）１０ａの背面の角部には４つの凹部１０ｂが形成されている。
【００２１】
画面角度調整装置１はホルダ４とカバー５と４つのコイルスプリング（弾性部材）６とを有する。
【００２２】
ホルダ４は金属板であり、液晶モニタ３を保持する。液晶モニタ３の画面にはカメラ本体１０Ａに内蔵された撮像素子（図示せず）で取得した画像が表示される。
【００２３】
カバー５は液晶モニタ３の画面を露出させる開口５ａを有し、カメラ本体１０Ａの背面にホルダ４を介在させて装着される。
【００２４】
コイルスプリング６の一端はホルダ４に溶接され、他端は筐体１０ａの凹部１０ｂに保持される。コイルスプリング６は圧縮ばねであり、液晶モニタ３の画面の向きを変えられるように、コイルスプリング６の伸縮方向へ移動可能にホルダ４を支持する。
【００２５】
液晶モニタ３が開口５ａを通じて指で押されていないとき、ホルダ４はカバー５に密着している。
【００２６】
なお、コイルスプリング６の一端が筐体１０ａに溶接され、他端がホルダ４に当接する構成であってもよい。
【００２７】
次に、この実施形態の動作について説明する。
【００２８】
まず、被写体にカメラの撮影レンズを向け、フレーミングする。液晶モニタ３に太陽光等の外光が反射して液晶モニタ３の画面上の画像が殆ど見えない場合、開口５ａを通じて指で例えば液晶モニタ３の上縁を押圧する。そうすると、上２つのコイルスプリング６，６が縮み、液晶モニタ３の上縁側が沈み込み、液晶モニタ３の画面が上を向き、液晶モニタ３の画面の角度が変わり、液晶モニタ３の画面上での外光の反射を回避できる。液晶モニタ３の画面上に生じた外光の反射（全反射）を回避するには、その画面の傾きを２．５°変えればよい。
【００２９】
なお、液晶モニタ３の上縁を押圧す代わりに、例えば、液晶モニタ３の右側縁を指で押圧すれば、ホルダ４の右側に配置されたコイルスプリング６，６が縮み、液晶モニタ３の画面は右側を向く。同様にして、指一本で簡単に液晶モニタ３の画面を下に向けたり、或は左に向けたりすることができる。
【００３０】
以上のように、第１実施形態によれば、被写体を撮影するときに液晶モニタ３の画面で外光が反射しても、その反射を容易に回避することができる。
【００３１】
また、従来のように、セパレートにする必要がないので、小型、軽量化が容易であり、更に、構成が簡単であるので、製造コストを低減することができる。
【００３２】
図２はこの発明の第２実施形態に係るカメラを示し、同図（ａ）は同カメラの背面図、同図（ｂ）は同図（ａ）のＢ−Ｂに沿う断面を示す概念図である。
【００３３】
第１実施形態と共通する部分については同一符号を付してその説明を省略する。以下、主な相違部分についてだけ説明する。
【００３４】
第１実施形態では液晶モニタ３を直接指で押圧するようにしたが、第２実施形態では液晶モニタ３に触らずに液晶モニタ３を押圧できるようにした。
【００３５】
そのために、図２（ａ），（ｂ）に示すように、ホルダ２０４の周縁部の４箇所にボタン（押圧凸部）２０４ａを設けた。
【００３６】
カバー２０５にはボタン２０４ａを通すための孔２０５ａを形成した。
【００３７】
第２実施形態では、ボタン２０４ａを指で押圧することによって液晶モニタ３を間接的に押圧することができる。
【００３８】
第２実施形態によれば、第１実施形態と同様の効果を得ることができるとともに、指の押圧によって液晶モニタ３の画面が汚れたり、傷ついたりすることを防止することができる。
【００３９】
図３はこの発明の第３実施形態に係るカメラの断面を示す概念図である。
【００４０】
第１実施形態では、液晶モニタ３を指で押圧したあと、液晶モニタ３から指を離すと液晶モニタ３は元の位置に戻るが、第３実施形態では、戻らないようにした。そのために、第３実施形態では、係止板３０７が備えられている。係止板３０７の周縁部の４箇所には係合部３０７ａが形成されている。係合部３０７ａはＬ字状である。係合部３０７ａのホルダ３０４側端面には保持穴３０７ｂが形成されている。保持穴３０７ｂにはコイルスプリング３０８が保持されている。コイルスプリング３０８の先端にはボール３０９が固定されている。
【００４１】
ホルダ３０４には、係合部３０７ａと対向するように係合部３０４ｂが形成されている。係合部３０４ｂの係合部３０７ａ側端面には２つの凹部３０４ｃ，３０４ｄが形成されている。
【００４２】
上述の係合部３０４ｂと係合部３０７ａとコイルスプリング３０８とボール３０９とで、液晶モニタ３の画面の向きを維持する維持機構が構成されている。
【００４３】
カバー３０５の孔３０５ａから突出したホルダ３０４のボタン３０４ａが指で押されていないとき、ボール３０９は凹部３０４ｃに係合している。
【００４４】
ボタン３０４ａを指で押圧すると、スプリング６が縮んでホルダ３０４が傾く。このとき、ボール３０９は係合部３０４ｂに対して相対的に移動し、凹部３０４ｃを抜け出し、凹部３０４ｄに入る。これにより、ホルダ３０４は傾いた状態で係止され、ボタン３０４ａから指を離してもホルダ３０４は元の状態に戻らない。
【００４５】
ホルダ３０４を元の状態に戻すには、ボタン３０４ａを引っ張って、ボール３０９と凹部３０４ｄとの係合を解けばよい。
【００４６】
第３実施形態によれば、第１実施形態と同様の効果を得ることができるとともに、ボタン３０４ａを押圧した後、ボタン３０４ａから指を離しても、液晶モニタ３が傾斜した状態を保つことができる。このようにボタン３０４ａを指で押し続ける必要がないので、撮影を一層行いやすくすることができる。
【００４７】
なお、上述の実施形態ではコイルスプリング６をホルダ４，２０４，３０４と筐体１０ａとの間に配置したが、これに限られず、例えば、コイルスプリング６の一端をホルダ４，２０４，３０４に固定し、コイルスプリング６の他端をカバー５，２０５，３０５に固定するようにしてもよい。この場合、コイルスプリング６は伸張コイルを用いるとよい。
【００４８】
また、上述の実施形態では、弾性部材としてコイルスプリング６を用いたが、コイルスプリング６の代わりに板ばねを用いてもよく、或はゴム、スポンジ等を用いてもよい。
【００４９】
また、この発明をビデオカメラ及びその画面角度調整装置にも適用することができる。
【図面の簡単な説明】
【００５０】
【図１】図１はこの発明の第１実施形態に係るカメラの分解斜視図である。
【図２】図２はこの発明の第２実施形態に係るカメラを示す図である。
【図３】図３はこの発明の第３実施形態に係るカメラの断面を示す概念図である。
【符号の説明】
【００５１】
３：液晶モニタ、４，２０４，３０４：ホルダ、２０４ａ，３０４ａ：ボタン（押圧凸部）、５，２０５，３０５：カバー、２０５ａ，３０５ａ：孔、３０４ｂ：係合部（維持手段）、３０７ａ：係止部（維持手段）、３０８：コイルスプリング（維持手段）、３０９：ボール（維持手段）、１０Ａ：カメラ本体（電子機器）、１０ａ：筐体（電子機器筐体）。
【図１】
2008028616.tif 000003
【図２】
2008028616.tif 000004
【図３】
2008028616.tif 000005